(57)【特許請求の範囲】
【請求項１】
電子通貨を格納した電子通貨用カード相互間で電子通貨の出し入れを行う電子通貨システムに使用する電子通貨用カード電話機において、
前記電子通貨用カード電話機は、
一対の電子通貨用カードリーダ／ライタと電子通貨制御部とを含む電子通貨制御用ユニットと、モデムユニットと、会話用ユニットとを内蔵した本体と、
前記本体にコードを介して取り付けられる送受話器と、
前記本体の筐体面に設けられる表示部と操作キーと前記電子通貨用カードリーダ／ライタの一対の投入口とを設け、
前記表示部は、前記一対の投入口に挿入された電子通貨用カ−ド間の転送方向を設定する第１の表示画面と、前記一対の投入口に挿入された電子通貨用カードの一方と、通信回線を介して接続される他の電子通貨用カードとの間の転送方向を決定する第２の表示画面とを備え、
前記操作キーは、前記第１の表示画面を表示させる操作キーと、前記第２の表示画面を表示させる操作キーと、前記第１および第２の表示画面に設定される前記１対の電子通貨用カードの転送方向を設定する転送方向設定キーと、金額を入力するためのテンキーと、決定キーとを備え、
前記電子通貨制御部は、
前記第１の表示画面の状態において、前記決定キーの押下に基づいて、この第１の表示画面に設定される転送方向にしたがって電子通貨の転送を開始し、
前記第２の表示画面の状態において、前記テンキーによる金額の入力前に前記決定キーの押下があれば、この電子通貨用カード電話機がスレーブ状態となったことを前記第２の表示画面に表示して、通信相手からの通信待ち状態とし、
前記第２の表示画面の状態において、前記テンキーによる金額の入力後に前記決定キーが押下されれば、この電子通貨用カード電話機をマスタ状態として、以後の操作を受け付けて転送処理に対して主導権を持って継続させることを特徴とする電子通貨用カード電話機。
【請求項２】
一対の電子通貨用カードリーダ／ライタと電子通貨制御部とを含む電子通貨制御用ユニットと、モデムユニットと、会話用ユニットとを内蔵した本体と、
前記本体にコードを介して取り付けられる送受話器と、
前記本体の筐体面に設けられる表示部と操作キーと前記電子通貨用カードリーダ／ライタの一対の投入口とを設け、
電子通貨を格納した電子通貨用カード相互間で電子通貨の出し入れを行う電子通貨システムに使用する電子通貨用カード電話機の操作方法において、
前記表示部に、前記一対の投入口に挿入された電子通貨用カ−ド間の転送方向を設定する第１の表示画面を表示し、前記転送方向の変更を受け付け、この第１の表示画面に設定される転送方向にしたがって電子通貨の転送を開始するステップと、
前記一対の投入口に挿入された電子通貨用カードの一方と、通信回線を介して接続される他の電子通貨用カードとの間の転送方向を決定する第２の表示画面を表示し、前記転送方向の変更を受け付け、
前記テンキーによる金額の入力前に転送指示があれば、この電子通貨用カード電話機がスレーブ状態となったことを前記第２の表示画面に表示して、通信相手からの通信待ち状態とし、
前記テンキーによる金額の入力後に転送指示があれば、この電子通貨用カード電話機をマスタ状態として、以後の操作を受け付けて転送処理に対して主導権を持って継続させるステップとを有することを特徴とする電子通貨用カード電話機の操作方法。
【請求項３】
請求項２に記載の電子通貨用カード電話機の操作方法において、
前記マスタ状態となった前記電子通貨用カード電話機は、
支払い側である時は、前記通信相手との転送処理を開始し、通信相手の所有者情報を前記表示部に表示し、再度の転送指示により電子通貨の転送を開始し、
受取側であるときは、前記通信相手に支払い情報を転送して、通信相手からの支払待ち状態とし、
前記スレーブ状態となった前記電子通貨用カード電話機は、支払い側であるときは、前記通信相手からの支払い情報を表示し、転送指示により電子通貨の転送を開始し、
受取側であるときは、通信相手からの電子通貨の支払いを受け付けることを特徴とする電子通貨用カード電話機の操作方法。
【発明の詳細な説明】
【０００１】
【発明の属する技術分野】
本発明は、電子通貨システムに使用する電子通貨用カード電話機（以下、ＩＣカード電話機という）及びその操作方法に係り、特に、電子通貨を収納したＩＣカードを使用して、他のＩＣカードとの間で電子通貨による決済を行うために使用して好適なＩＣカード電話機及びその操作方法に関する。
【０００２】
【従来の技術】
近年、電子通貨を収納したＩＣカード相互間の通信により、電子通貨のやりとりを行う電子通貨システムが提案されている。このシステムに使用するＩＣカードは、その内部に通信機能を有するマイクロプロセッサと、処理プログラム及び電子通貨の残額を格納するＥＥＥＰＲＯＭ等によるメモリとを備えて構成される。そして、ＩＣカードは、銀行、商店、個人の住宅等に備えられる端末を通信回線を介して任意に接続可能に構成される電子通貨システムを介して、また、専用の端末を使用することにより、他のＩＣカードとの間で、電子通貨の出し入れが可能である。
【０００３】
【発明が解決しようとする課題】
前述で提案されている電子通貨システムは、未だ、システムを構成する各機器が何のような機能、形態を備えるべきかが定められておらず、開発途上にあるものである。
【０００４】
本発明の目的は、前述した電子通貨システムに使用して好適な、電話機による通信機能を使用して、他のＩＣカードとの間、例えば、個人相互間、個人対銀行間、個人対流通業者間において電子通貨のやり取りを行うことを可能にし、しかも、不法な通貨の摂取を防止することのできるＩＣカード電話機及びその操作方法を提供することにある。
【０００５】
すなわち、本発明の目的は、２枚のＩＣカード相互の電子通貨のやり取りを行うことができ、かつ、電話回線を介して接続される他のＩＣカードと、電話機に挿入された２枚のＩＣカード、あるいは、それらの一方のＩＣカードとの間で電子通貨のやり取りを行うことができるＩＣカード電話機及びその操作方法を提供することにある。
【０００６】
また、本発明の目的は、ＩＣカードの抜き差しが容易なＩＣカード挿入口と、電話機能と電子通貨転送機能との使い分けが容易なレイアウトを持ったＩＣカード電話機及びその操作方法を提供することにある。
【０００７】
【課題を解決するための手段】
本発明によれば前記目的は、電子通貨を格納した電子通貨用カード相互間で電子通貨の出し入れを行う電子通貨システムに使用する電子通貨用カード電話機において、前記電子通貨用カード電話機は、一対の電子通貨用カードリーダ／ライタと電子通貨制御部とを含む電子通貨制御用ユニットと、モデムユニットと、会話用ユニットとを内蔵した本体と、前記本体にコードを介して取り付けられる送受話器と、前記本体の筐体面に設けられる表示部と操作キーと前記電子通貨用カードリーダ／ライタの一対の投入口とを設け、前記表示部は、前記一対の投入口に挿入された電子通貨用カ−ド間の転送方向を設定する第１の表示画面と、前記一対の投入口に挿入された電子通貨用カードの一方と、通信回線を介して接続される他の電子通貨用カードとの間の転送方向を決定する第２の表示画面とを備え、前記操作キーは、前記第１の表示画面を表示させる操作キーと、前記第２の表示画面を表示させる操作キーと、前記第１および第２の表示画面に設定される前記１対の電子通貨用カードの転送方向を設定する転送方向設定キーと、金額を入力するためのテンキーと、決定キーとを備え、前記電子通貨制御部は、前記第１の表示画面の状態において、前記決定キーの押下に基づいて、この第１の表示画面に設定される転送方向にしたがって電子通貨の転送を開始し、前記第２の表示画面の状態において、前記テンキーによる金額の入力前に前記決定キーの押下があれば、この電子通貨用カード電話機がスレーブ状態となったことを前記第２の表示画面に表示して、通信相手からの通信待ち状態とし、前記第２の表示画面の状態において、前記テンキーによる金額の入力後に前記決定キーが押下されれば、この電子通貨用カード電話機をマスタ状態として、以後の操作を受け付けて転送処理に対して主導権を持って継続させることにより達成される。
【０００８】
また、前記目的は、一対の電子通貨用カードリーダ／ライタと電子通貨制御部とを含む電子通貨制御用ユニットと、モデムユニットと、会話用ユニットとを内蔵した本体と、前記本体にコードを介して取り付けられる送受話器と、前記本体の筐体面に設けられる表示部と操作キーと前記電子通貨用カードリーダ／ライタの一対の投入口とを設け、電子通貨を格納した電子通貨用カード相互間で電子通貨の出し入れを行う電子通貨システムに使用する電子通貨用カード電話機の操作方法において、前記表示部に、前記一対の投入口に挿入された電子通貨用カ−ド間の転送方向を設定する第１の表示画面を表示し、前記転送方向の変更を受け付け、この第１の表示画面に設定される転送方向にしたがって電子通貨の転送を開始するステップと、前記一対の投入口に挿入された電子通貨用カードの一方と、通信回線を介して接続される他の電子通貨用カードとの間の転送方向を決定する第２の表示画面を表示し、前記転送方向の変更を受け付け、前記テンキーによる金額の入力前に転送指示があれば、この電子通貨用カード電話機がスレーブ状態となったことを前記第２の表示画面に表示して、通信相手からの通信待ち状態とし、前記テンキーによる金額の入力後に転送指示があれば、この電子通貨用カード電話機をマスタ状態として、以後の操作を受け付けて転送処理に対して主導権を持って継続させるステップとを有することにより達成される。
【００１１】
【発明の実施の形態】
以下、本発明による電子通貨システムにおけるＩＣカード電話機の実施形態を図面により詳細に説明する。
【００１２】
図１は本発明によるＩＣカード電話機が適用される電子通貨システムの構成を示すブロック図であり、まず、図１を参照して、電子通貨システムの構成を説明する。図１において、１は銀行営業店システム、２は流通システム、３はエンドユーザシステム、４は自動販売機システム、５は銀行計算機センタ、６は電子通貨発行組織、７は公衆通信網、１０はＩＣカード、１１は外付けＩＣカードリーダ／ライタ、１２は窓口端末、１３は内部通信回線、１４は現金自動預入支払機、１５は電子金庫、１６は電子通貨トランザクション制御端末、１７はリレーコンピュータ、２１は電子通貨用ＰＯＳ端末、２２はＰＯＳ端末、２３はストアコントローラー、２４はセンタ装置、２５は情報制御システム、２６はワークステーション、３１は電子財布、３２はパソコン、３３はＰＣカード型カードリーダ／ライタ、３４はＩＣカード電話機、４１は内蔵型ＩＣカードリーダ／ライタ、４２は自動販売機、５１は勘定系システムホスト、５２は外接系システム、５３は外接系制御端末である。
【００１３】
図１に示す電子通貨システムは、公衆通信網７に、銀行営業店システム１、百貨店、スーパーマーケット等の大型商店に設けられる流通システム２、エンドユーザシステム３としてのパソコン３２、ＩＣカード電話機３４が接続されて構成され、また、通信網７に接続されないシステムとして自動販売機システム４等を備えて構成されている。図示例では、代表的なシステムがそれぞれ１システムずつ示されているが、多数のシステムが公衆通信網７に接続されて構成することができる。また、銀行営業店システムは、専用回線等により銀行計算機センタ５に接続され、銀行計算機センタ５には、電子通貨発行組織６が接続されている。
【００１４】
ＩＣカード１０は、その内部に通信機能を有するマイクロプロセッサと、処理プログラム及び電子通貨の残額を格納するＥＥＥＰＲＯＭ等によるメモリとを備えて構成され、エンドユーザである個人が所持すると共に、電子通貨システムに参加する銀行、商店、自動販売機等により所持される。
【００１５】
銀行営業店システム１は、公知のように、窓口端末１２、現金自動預入支払機１４が内部通信回線１３を介して接続され、さらに、リレーコンピュータ１７を介して銀行計算機センタに接続されて構成されているが、電子通貨決済のために、窓口端末１２にＩＣカードリーダ／ライタ１１が設けられ、現金自動預入支払機１４には、ＩＣカードリーダ／ライタが内蔵され、また、電子通貨トランザクション制御端末１６を介して電子金庫１５が接続されて構成される。
【００１６】
銀行計算機センタ５は、勘定系システムホスト５１と、外接系システム５２とにより構成され、外接系システム５２は、外接系制御端末５３、リレーコンピュータ１７、電子金庫１５が備えられて構成されている。
【００１７】
流通システム２は、通常、ＰＯＳ端末が、内部通信回線１３、ストアコントローラー２３を介してセンタ装置２４に接続されて構成されるが、電子通貨決済のために、通常のＰＯＳ端末２２には外付けのＩＣカードリーダ／ライタ１１が設けられ、あるいは、電子通貨用ＰＯＳ端末２１を使用して構成される。また、センタ装置２４は、情報制御システム２５、ワークステーション２６、電子金庫１５を備えて構成される。
【００１８】
エンドユーザシステム３は、主に個人ユーザシステムであり、簡単にはＩＣカード内の電子通貨の残高を表示することのできる電子財布３１だけでよい。この電子財布３１には、電卓等の機能を加えることも可能である。また、パソコン３２は、個人が所有するものに、電子通貨決済のために、ＰＣ型カードリーダ／ライタ３３を設けて、公衆通信網７と接続可能に構成される。また、通常の電話機に電子通貨を収納するＩＣカード１０に対する処理機能を備えたＩＣカード電話機３４を使用することもできる。
【００１９】
前述のエンドユーザーシステム３におけるパソコン３２、ＩＣカード電話装置３４は、その内部に２枚のＩＣカードに対する２組のカードリーダ／ライタを設けることにより、２枚のＩＣカード相互間で電子通貨のやり取りを行うことができる。これにより、例えば、ご主人のＩＣカード内の電子通貨を、奥様のＩＣカードに移す等の、通常の現金を取り扱う場合と同様な処理を行わせることができる。
【００２０】
自動販売機システム４は、内蔵型のＩＣカードリーダ／ライタ４１が設けられた自動販売機４２により構成される。
【００２１】
次に、前述したように構成される本発明が適用される電子通貨システムの利用方法を説明する。
【００２２】
システムに参加する銀行、商店、自動販売機、個人等には、電子通貨発行組織６からＩＣカード１０が配布され、また、銀行は、通常に流通している現金と交換に電子通貨を受け取り、外接系システム５２内に設けられる電子金庫１５内に格納する。この電子金庫１５は、後述するように、その内部に多数のＩＣカード１０を格納しており、各カード１０には、電子通貨発行組織から受け取った電子通貨が分配されて収納される。外接系システム５２における電子金庫１５内のＩＣカードに収納される電子通貨は、各銀行営業店に設置されている銀行営業店システム１における電子金庫１５内のＩＣカード１０に分配される。
【００２３】
電子通貨システムに参加するエンドユーザーとしての個人は、配布されたＩＣカード１０を所持し、銀行営業店システム１の窓口端末１２、現金自動預入支払機１４により、銀行に持つ自己の口座の預金を電子通貨に交換して引き下して、自己のＩＣカード１０内に収納する。また、所有するＰＣカード型リーダ／ライタ３３を有するパソコン３２、または、ＩＣカード電話機３４を、公衆通信網７を介して銀行営業店システム１に接続して、前述の場合と同様に、銀行に持つ自己の口座の預金を電子通貨に交換して引き出し、自己のＩＣカード１０内に収納することができる。
【００２４】
前述の電子通貨の引き出しの際、個人の所持するＩＣカードは、自カード内に有する通信機能により、窓口端末１２、現金自動預入支払機１４、パソコン３２、または、ＩＣカード電話機３４のリーダ／ライタを介して、銀行営業店システム１内の電子金庫１５内のＩＣカードと接続される。そして、電子通貨トランザクション制御端末１６の制御の下に、銀行営業店システム１内の電子金庫１５内のＩＣカード１０に収納されている電子通貨が、個人の所持するＩＣカード１０内に収納される。このとき、銀行営業店システム１内の電子金庫１５内のＩＣカード１０に収納されている電子通貨の残高は、個人の所持するＩＣカード１０内に収納した分だけ減額される。また、個人の口座からの預金の引き下しは、従来から行われていたと同様に行われる。
【００２５】
前述では、個人が所持するＩＣカードに、その個人の銀行口座の預金を引き降ろして収納するとして説明したが、現金を銀行の窓口または、電子通貨発行組織の窓口に持っていき、そこでＩＣカードに収納してもらうこともできる。
【００２６】
また、ＩＣカード内の電子通貨は、前述とは逆に、窓口端末１２、現金自動預入支払機１４、パソコン３２を介して、銀行営業店システム１内の電子金庫１５内のＩＣカード内に返却し、同時に自己の口座に預入することができる。
【００２７】
前述のようにして、電子通貨を自己のＩＣカード１０内に収納したユーザは、各種商店等において、そのＩＣカードを現金と同様に使用して商品の買物を行い、また、各種のサービスを受けることが可能である。
【００２８】
いま、電子通貨を自己のＩＣカード１０内に収納したユーザが、商店で買物を行い、支払のためＰＯＳ端末のカウンタに買い上げた商品を持ち込んだものとする。扱い者は、通常の取引の場合と同様に、バーコード等を読み込ませることにより、商品の売値をＰＯＳ端末２１または２２から入力し、その合計を演算させて顧客に請求する。
【００２９】
顧客が現金の代りに電子通貨が収納されたＩＣカードにより支払いを行う場合、顧客は、そのＩＣカードを、電子通貨用ＰＯＳ端末１２のカード挿入孔、または、通常のＰＯＳ端末２２に接続されたＩＣカードリーダ／ライタ１１に挿入する。これにより、顧客のＩＣカードとその商店のセンタ装置２４に設置されている電子金庫１５内のＩＣカードの１枚とが、内部通信回線１３、ワークステーション２６とを介して接続され、顧客のＩＣカード内の電子通貨がセンタ装置２４に設置されている電子金庫１５内のＩＣカードの１枚に移され、ＰＯＳ端末からレシートが出力されて、買物による支払の処理が終了する。この場合、顧客のＩＣカード内の電子通貨は、買物に使用された分だけ減額され、商店のＩＣカードの電子通貨に加算される。
【００３０】
前述では、多数のＰＯＳ端末と、センタ装置２４に多数のＩＣカードを格納した電子金庫を備える流通システムにおいて、商品の取引代金を支払うものとして説明を行ったが、個人商店等で、１台の入金機のみを備えるようなシステムの場合、入金機に顧客のＩＣカードのためのＩＣカードリーダ／ライタを設け、また、入金機の内部に、その商店が所持するＩＣカードを持たせることにより、この商店が所持するＩＣカードと、ＩＣカードリーダ／ライタを介して接続される顧客のＩＣカードとの間で、電子通貨による支払を行うことができる。そして、商店が所持するＩＣカード内の電子通貨は、前述したように、銀行の口座に入金することができ、あるいは、銀行の窓口で現金化することもできる。
【００３１】
さらに、前述したＰＯＳ端末を有する流通システムにおいて、システムの構築方法として、各ＰＯＳ端末にＩＣカードを持たせ、顧客のＩＣカードとの間の金銭授受を、一旦、このＰＯＳ端末内のＩＣカードと顧客のＩＣカードとの間で行い、必要に応じて、ＰＯＳ端末からセンタ装置２４の電子金庫１５内のＩＣカードに移すようにすることができる。
【００３２】
また、自動販売機４２等が電子通貨システムに参加する場合、自動販売機４２に内蔵型のＩＣカードリーダ／ライタ４１を設けると共に、自動販売機自身にＩＣカードを備え、顧客がＩＣカードリーダ／ライタ４１に挿入したＩＣカードとの間で金銭の授受を行うようにすればよい。
【００３３】
次に、前述のように使用される電子通貨システムに使用される本発明のＩＣカード電話機の実施形態を図面により説明する。
【００３４】
図２は本発明の一実施形態によるＩＣカード電話機の外観を示す斜視図、図３は図２に示すＩＣカード電話機のキー配列等を説明する上面図、図４は本発明の一実施形態によるＩＣカード電話機の機能構成を示すブロック図である。図２〜図４において、３４０は本体部、３４１は送受話器、３４２、３４３はＩＣカード挿入口、３４５はテンキー、３４６は電話用機能キー、３４７はファンクションキー、３４８はコントロールキー、３４９はモデムユニット、３４Ａはスイッチャー、３４Ｂはモデム制御用マイクロプロセッサ、３４Ｃは会話用ユニット、３４Ｄは電子通貨制御用マイクロプロセッサ、３４Ｅは特定用途ＩＣであり、他の符号は図１の場合と同一である。
【００３５】
本発明の一実施形態によるＩＣカード電話機３４は、図２、図３に示すように、本体部３４０と送受話器３４１とにより構成され、本体部３４０の上面には、電子通貨が収納されているＩＣカード１０を挿入する２組のＩＣカード挿入口３４２、３４３、表示部３４４、電話番号、電子通貨の入出金額等を入力するテンキー３４５、電話用機能キー３４６、ファンクションキー３４７、メニューの選択等のための３４８はコントロールキー３４８が設けられている。
【００３６】
前述した２組のＩＣカード挿入口３４２、３４３は、その１つのＩＣカード挿入口３４２が本体部３４０の後方に、ＩＣカードを垂直に挿入するように配置され、他方のＩＣカード挿入口３４３が、本体部３４０の前面側からＩＣカードを水平に挿入するように配置されている。本体部３４０の後方に設けられるＩＣカード挿入口３４２は、使用頻度の高いＩＣカードを単独に証する場合に、抜き差しがし易いものである。そして、これらのＩＣカード挿入口にＩＣカード１０が挿入されたとき、ＩＣカードが図示しないＩＣカードリーダ／ライタに接続され、ＩＣカード相互間での電子通貨のやり取りを行うことができ、また、いずれか一方のＩＣカード挿入口に挿入されたＩＣカードと、電話回線を介した他のＩＣカードとの間で電子通貨のやり取りを行うことができる。
【００３７】
本体部３４０の上面に配置される各種のキーは、ＩＣカード電話機を、通常の電話機として機能させる場合に使用するキーであるテンキー３４５、電話用機能キー３４６が本体部上面の中央部に配置され、電子通貨の出し入れを行うために使用するキーであるファンクションキー３４７、コントロールキー３４８が前記電話機として機能させるキーの右側に配置される。これにより、ユーザの誤操作を低減することができる。
【００３８】
また、本発明の一実施形態によるＩＣカード電話機３４は、第４図に示すように、その内部に、スイッチャー３４Ａ、モデム制御用マイクロプロセッサ３４Ｂを有し、会話信号の電話回線との間の送受信、電子通貨のやり取りのための信号の電話回線との間の送受信を制御するモデムユニット３４９と、会話用ユニット３４Ｃと、電子通貨制御用マイクロプロセッサ３４Ｄと、表示の制御等を実行する特定用途ＩＣ３４Ｅとによる機能回路を備えて構成される。
【００３９】
次に、前述したように構成されるＩＣカード電話機を使用してＩＣカード内の電子通貨をやり取りする場合の各種の動作例について説明する。
【００４０】
図５は本発明の一実施形態によるＩＣカード電話機３４を使用して、この電話機に挿入された２枚のＩＣカード相互間で電子通貨のやり取りを行う場合の動作を説明するフローチャートであり、以下、これについて説明する。
【００４１】
（１）まず、電話機として使用されていない状態で、電子通貨の移し変えを行おうとする２枚のＩＣカードをＩＣカード挿入口３４２、３４３に挿入する。これにより、表示部３４４にホームスクリーン５０１が表示される。
【００４２】
（２）ホームスクリーンが表示されている状態で、ファンクションキー３４７内の転送キーを押すと、５０２、５０３に示すようなどちらの方向に電子通貨を移すかを決定するためのスクリーンが表示される。図では、上向きの矢印で電話機の後方にセットされたＩＣカードを、下向きの矢印で電話機の前面側からセットされたＩＣカードを示している。スクリーン５０２は電話機３４の後方にセットされたＩＣカードから電話機の前面側からセットされたＩＣカードに電子通貨を移すことを示し、スクリーン４３はその逆の方向に電子通貨を移す事を示している。これらのスクリーン５０２、５０３は、ファンクションキー３４７内のパースキーを押すことにより、相互に切り替えられる。
【００４３】
（３）スクリーン５０２、５０３の一方を選択した後（図示例では、電話機３４の後方にセットされたＩＣカードから電話機の前面側からセットされたＩＣカードに電子通貨を移すことを示すスクリーン５０２を選択）、テンキー３４５を操作することにより、または、予め金額をセットしたメモリを読み出すためのＭＲキーを押すことにより、移すべき金額を入力する。図示例では、１００ポンドが入力され、これによりスクリーン５０４に示すように、金額１００ポンドが表示される。
【００４４】
（４）ユーザは、入力した金額に間違いがないことを確認して、決定キーを押す。これにより、ＩＣ電話機３４の内部の電子通貨制御用マイクロプロセッサ３４Ｄは、電話機３４の後方にセットされたＩＣカードから電話機の前面側からセットされたＩＣカードに電子通貨を移す処理を開始する。この処理の実行中、スクリーンの表示は、スクリーン５０５、５０６と変化し、処理の終了でスクリーン５０７が表示される。このような電子通貨のやり取りにおいて、各ＩＣカード内の電子通貨の残額が変更されることは言うまでもない。
【００４５】
（５）スクリーン５０７が表示されている状態でファンクションキー３４７のどれかのキーを押すことにより、ホームスクリーン５０１を表示する状態に戻り、一連の処理を終了することができ、また、別のＩＣカードを挿入して、処理を続けることができる。
【００４６】
前述した２枚のＩＣカード間における電子通貨のやり取りは、例えば、家庭における、夫婦間、親子間のＩＣカードに対して行う場合、あるいは、個人の貸借を行う場合等に利用することができる。
【００４７】
図６、図７は本発明の一実施形態によるＩＣカード電話機３４を使用して、他のＩＣカード電話機３４との間の２枚のＩＣカード相互間で電子通貨の転送を行う場合の動作を説明するフローチャートであり、以下、これについて説明する。
【００４８】
図６はＩＣカード電話機相互間が接続され、それぞれのユーザが、支払い側か受け取り側か、挿入可能な２つのＩＣカード挿入口のどちらのＩＣカードを使用して電子通貨の転送処理を行うかを決定する動作を説明するフローであり、図７はその後にＩＣカード相互間で電子通貨の転送を行う動作を説明するフローである。なお、図６において、スクリーン６０１〜６０６は一方のＩＣカード電話機における表示スクリーンであり、スクリーン６０７〜６１２は他方のＩＣカード電話機における表示スクリーンである。
【００４９】
（１）２台のＩＣカード電話機が相互に接続された後、それぞれのユーザがＩＣカードをＩＣカード挿入口に挿入すると、各電話機にはホームスクリーン６０１、６０７が表示される。
【００５０】
（２）この状態で、ファンクションキー３４７内の転送キーを押すと、同一電話機にセットされる２枚のＩＣカード相互間で電子通貨をやり取りするためのスクリーン６０２、６０８が表示され、さらに、パースキーを押すことによりスクリーン６０３、６０９が表示される。このれらのスクリーンの表示は、前述で説明したスクリーン５０２、５０３と同様である。
【００５１】
（３）説明している例は、他のＩＣカード電話機との間の電子通貨の転送を行うものであるので、次に、例えば、スクロールキーを押す。これにより、電話回線を使用した電子通貨の転送のためのスクリーン６０４〜６０６、６１０〜６１２が表示される。これらのスクリーンは、支払い側になるか、受け取り側になるかを選択すると共に、どちらのＩＣカードを使用するかを選択するものである。これらの切り換えは、パースキー、＊キーを押すことにより行うことができる。前述により、支払い側になるか、受け取り側になるかを選択すると共に、どちらのＩＣカードを使用するかを選択した後、図７に示す電子通貨の転送を行う動作を開始する。
【００５２】
前述において、処理の途中でクリアキーを押すとホームスクリーン６０１、６０７を表示する状態に戻り、また、他のファンクションキーを押せば、それに対応するスクリーン６１３を表示した状態となる。
【００５３】
図７に示す例は、支払い側のＩＣカード電話機が電子通貨の転送の主導権を持つマスターとなって、支払側のＩＣカード電話機にセットされたＩＣカード内の電子通貨を受け取り側のＩＣカード電話機にセットされたＩＣカード内に転送する例である。
【００５４】
（１）支払い側電話機と受け取り側電話機とは、いずれか一方からの通常の発信により電話回線により接続された後、図６により説明した処理を行うことにより、支払い側電話機の表示部３４４には、支払側であることを示すスクリーン７０１が、また、受け取り側の電話機の表示部３４４には、受け取り側であることを示すスクリーン７０２が表示される。
【００５５】
（２）この状態で、受け取り側の電話機のファンクションキー３４７内の決定キーが押されると、受け取り側のＩＣカード電話機がスレーブとなって、表示部３４４にスクリーン７０６を表示し、以後、支払い側のＩＣカード電話機がマスターとなって電子通貨転送処理の主導権を持つことになる。
【００５６】
（３）支払い側のＩＣカード電話機のユーザは、スクリーン７０１の状態で、送金すべき金額を、テンキー３４５を操作することにより、あるいは、予め金額をセットしたメモリを読み出すためのＭＲキーを押すことにより、転送すべき金額を入力する。図示例では、１００ポンドが入力され、これによりスクリーン７０４に示すように、金額１００ポンドが表示される。
【００５７】
（４）支払い側のＩＣカード電話機のユーザは、入力した金額に間違いがないことを確認して、決定キーを押す。これにより、ＩＣ電話機３４の内部の電子通貨制御用マイクロプロセッサ３４Ｄは、受け取り側のＩＣカード電話機との間で電子通貨の転送の処理を開始し、スクリーン７０５を表示した後、受け取り側のＩＣカード電話機の所持者の名前、この例では、フードショップを受け取って表示部３４４にスクリーン７０７を表示する。
【００５８】
（５）支払い側のＩＣカード電話機のユーザは、これを確認して決定キーを押す。これにより、電子通貨の転送処理が行われ、この処理の実行中、支払い側のＩＣカード電話機のスクリーンの表示が、スクリーン７０８、７０９と変化し、処理終了でスクリーン７１１となる。また、受け取り側のＩＣカード電話機の表示が、スクリーン７１０を経て処理の終了でスクリーン７１２となり電子通貨の転送の処理を終了する。
【００５９】
前述において、スクリーン７０１、７０２、７０７が表示されているときにクリアキーが押されると、図５で説明したホームスクリーン５０１と同一のスクリーン７０３に戻り、また、処理終了のスクリーン７１１、７１２が表示されているときにファンクションキーのどれかのキーが押されると、図５で説明したホームスクリーン５０１と同一のスクリーン７０３に戻る。
【００６０】
前述した動作により、電話回線を介した電子通貨の転送を行うことができる。また、前述の例では、主導権を持つＩＣカード電話を決定することにより、不法な通貨の摂取を防止して、電子通貨を電話回線を介して転送することができる。
【００６１】
図８はＩＣカード相互間で電子通貨の転送を行う他の動作例を説明するフローである。前述した図７に示す例は、支払い側のＩＣカード電話機が電子通貨の転送の主導権を持つマスターとなって、支払側のＩＣカード電話機にセットされたＩＣカード内の電子通貨を受け取り側のＩＣカード電話機にセットされたＩＣカード内に転送する例であったが、図８に示す例は、受け取り側のＩＣカード電話機が電子通貨の転送の主導権を持つマスターとなって、支払い側のＩＣカード電話機にセットされたＩＣカード内の電子通貨を受け取り側のＩＣカード電話機にセットされたＩＣカード内に転送する例である。この例の場合にも、図６により説明したフローの終了後に行われる。
【００６２】
（１）支払い側電話機と受け取り側電話機とは、いずれか一方からの通常の発信により電話回線により接続され、通話による話合いの後に、双方がそれぞれのＩＣカード電話機のＩＣカード挿入口にＩＣカードを挿入し、図６により説明した処理を行うことにより、支払い側電話機の表示部３４４には、支払側であることを示すスクリーン８０１が、また、受け取り側の電話機の表示部３４４には、受け取り側であることを示すスクリーン８０２が表示される。
【００６３】
（２）この状態で、支払い側の電話機のファンクションキー３４７内の決定キーが押されると、支払い側のＩＣカード電話機がスレーブとなって、表示部３４４にスクリーン８０５を表示し、以後、受け取り側のＩＣカード電話機がマスターとなって電子通貨転送処理の主導権を持つことになる。
【００６４】
（３）受け取り側のＩＣカード電話機のユーザは、スクリーン８０２の状態で、受け取るべき金額を、テンキー３４５を操作することにより、あるいは、予め金額をセットしたメモリを読み出すためのＭＲキーを押すことにより入力する。図示例では、１００ポンドが入力され、これによりスクリーン８０４に示すように、金額１００ポンドが表示される。
【００６５】
（４）受け取り側のＩＣカード電話機のユーザは、入力した金額に間違いがないことを確認して、決定キーを押す。これにより、ＩＣ電話機３４の内部の電子通貨制御用マイクロプロセッサ３４Ｄは、受け取り側のＩＣカード電話機との間で電子通貨の転送の処理を開始し、スクリーン８０６を表示した後、支払い側のＩＣカード電話機に受け取るべき金額、受け取り側の名前、この例では、フードショップを送信する。
【００６６】
（５）支払い側のＩＣカード電話機は、これを受け取って表示すべき金額、受け取り側の名前を表示したスクリーン８０７を表示部３４４に表示する。支払い側のＩＣカード電話機のユーザは、これを確認して決定キーを押す。これにより、電子通貨の転送処理が行われ、この処理の実行中、支払い側のＩＣカード電話機のスクリーンの表示が、スクリーン８０８、８０９と変化し、処理終了でスクリーン８１１となる。また、受け取り側のＩＣカード電話機の表示が、スクリーン８１０を経て処理の終了でスクリーン８１２となり電子通貨の転送の処理を終了する。
【００６７】
前述において、スクリーン８０１、８０２、８０７が表示されているときにクリアキーが押されると、図５で説明したホームスクリーン５０１と同一のスクリーン８０３に戻り、また、処理終了のスクリーン８１１、８１２が表示されているときにファンクションキーのどれかのキーが押されると、図５で説明したホームスクリーン５０１と同一のスクリーン８０３に戻る。
【００６８】
前述した動作例のように、主導権を持つＩＣカード電話を決定することにより、不法な通貨の摂取を防止して、電子通貨を電話回線を介して転送することができる。
【００６９】
図９はＩＣカード電話機から電子通貨を銀行ホストに転送する動作を説明するフローチャートであり、以下、これについて説明する。この例の場合も、ＩＣ電話機は、図１により説明した銀行営業店システム１の電子通貨トランザクション制御端末１６との接続後、図６により説明したフローの終了後に行われる。
【００７０】
（１）図６により説明した処理を行うことにより、支払い側（送金側）ＩＣカード電話機の表示部３４４には、支払側であることを示すスクリーン９０１が表示される。
【００７１】
（２）支払い側のＩＣカード電話機のユーザは、スクリーン９０１の状態で、送金すべき金額を、テンキー３４５を操作することにより、あるいは、予め金額をセットしたメモリを読み出すためのＭＲキーを押すことにより入力する。図示例では、１００ポンドが入力され、これによりスクリーン９０２に示すように、金額１００ポンドが表示される。
【００７２】
（３）支払い側のＩＣカード電話機のユーザは、入力した金額に間違いがないことを確認して、決定キーを押す。これにより、ＩＣ電話機３４の内部の電子通貨制御用マイクロプロセッサ３４Ｄは、受け取り側の銀行営業店システム１の電子通貨トランザクション制御端末１６との間で電子通貨の転送の処理を開始し、スクリーン９０３を表示した後、受け取り側の名前、この例では、銀行を受け取って表示部３４４にスクリーン９０４を表示する。
【００７３】
（５）支払い側のＩＣカード電話機のユーザは、これを確認して決定キーを押す。これにより、電子通貨の転送処理が行われ、この処理の実行中、支払い側のＩＣカード電話機のスクリーンの表示が、スクリーン９０５、９０６と変化し、処理終了でスクリーン９０７となり、電子通貨の転送の処理を終了する。
【００７４】
前述において、スクリーン９０１、９０４が表示されているときにクリアキーが押されると、図５で説明したホームスクリーン５０１と同一のスクリーンに戻り、また、処理終了のスクリーン９０７が表示されているときにファンクションキーのどれかのキーが押されると、図５で説明したホームスクリーン５０１と同一のスクリーンに戻る。
【００７５】
前述に動作によりＩＣカード電話により電子通貨を銀行に送金することができる、銀行営業店システムにおいては、この電子通貨を一旦電子金庫１５内のＩＣカードに収納し、説明していないユーザからの指示により、そのユーザの預金口座へ入金し、また、他の人の口座に振り込む処理が行われる。
【００７６】
前述では、ＩＣカード電話機から銀行に電子通貨を転送するとして説明したが、銀行の自分の口座の預金を引き出して、これを電子通貨としてＩＣカード電話機にセットしたＩＣカードに収納することもできる
図１０は銀行の口座からの引き落としの例を説明する図である。銀行の口座からの引き落としの場合、図１０に示すように、本発明による２組のＩＣカードの処理が可能なＩＣ電話機の機能を利用して、１度の引き落としで、その金額を２枚のＩＣカードに任意に振り分けることができる。
【００７７】
前述までに説明した例は、ＩＣカード内に収納されている電子通貨を、ＩＣカード相互間でやり取りするものとして説明したが、ＩＣは、それ以外の用途、例えば、様々な情報管理媒体として使用することが可能である。
【００７８】
図１１はＩＣカードを各種の情報管理媒体として使用する例を説明する図である。
【００７９】
例えば、ＩＣカードを、収入、ＩＣカード使用履歴、貯蓄高等を管理する家計簿として利用することができ、この場合、図１１に示すような、銀行、流通業者との取り引きを、順次記録しておくようにすればよい。また、電話帳として各種の電話番号を記録しておくことにより、特定の銀行、流通業者への定期的な支払いを自動的に行わせるようにすることもできる。
【００８０】
前述の場合、例えば、図１１に示すＣＡＲＤ１を電子通貨専用のＩＣカードと市、ＣＡＲＤ２を前述した家計簿管理や電話帳機能を内蔵したＩＣカードとし、これらのＩＣカードを組み合わせて使用するようにすればよい。このように、２枚のＩＣカードを組み合わせることにより、様々な応用機能を行わせることができる。なお、本発明の実施形態によるＩＣカード電話機には、前述したような種々の異なる機能を有するＩＣカードを制御する機能が備えられている。
【００８１】
前述で説明した本発明の実施形態は、２組のＩＣカードリーダ／ライタを備え、その一方に接続されたＩＣカードが通信回線を介して他のＩＣカードと接続されて、電子通貨のやり取りを行うとして説明したが、本発明は、さらに多くの３組以上のＩＣカードリーダ／ライタを設け、また、接続可能な通信回線を複数回線とすることも可能である。これにより、さらに種々の形態の使用を行うことができる。また、前述では、説明していないが、各ＩＣカード挿入口に表示ぶを設け、使用中のＩＣカードがどのような動作を行っているか、例えば、通信中か、それ以外か等を色を変えて表示させるようにすることができる。
【００８２】
前述した本発明の実施形態によるＩＣカード電話機によれば、電話機による通信機能を使用して、他のＩＣカードとの間、例えば、個人相互間、個人対銀行間、個人対流通業者間において電子通貨のやり取りを行うことを可能にし、しかも、不法な通貨の摂取を防止することができる。
【００８３】
また、本発明の実施形態によるＩＣカード電話機によれば、ＩＣカードの抜き差しが容易なＩＣカード挿入口と、電話機能と電子通貨転送機能との使い分けが容易なレイアウトを持たせることができる。
【００８４】
【発明の効果】
以上説明したように本発明によれば、個人相互間、個人対銀行間、個人対流通業者間において電子通貨のやり取りを行うことを可能にし、しかも、不法な通貨の摂取を防止することができ、ＩＣカードの抜き差しが容易なＩＣカード挿入口と、電話機能と電子通貨転送機能との使い分けが容易なＩＣカード電話機を提供することができる。
【図面の簡単な説明】
【図１】本発明による電子金庫が適用される電子通貨システムの構成を示すブロック図である。
【図２】本発明の一実施形態によるＩＣカード電話機の外観を示す斜視図である。
【図３】図２に示すＩＣカード電話機のキー配列等を説明する上面図である。
【図４】本発明の一実施形態によるＩＣカード電話機の機能構成を示すブロック図である。
【図５】本発明の一実施形態によるＩＣカード電話機を使用して、この電話機に挿入された２枚のＩＣカード相互間で電子通貨のやり取りを行う場合の動作を説明するフローチャートである。
【図６】本発明の一実施形態によるＩＣカード電話機を使用して、他のＩＣカード電話機との間の２枚のＩＣカード相互間で電子通貨の転送を行う場合の動作を説明するフローチャートである。
【図７】本発明の一実施形態によるＩＣカード電話機を使用して、他のＩＣカード電話機との間の２枚のＩＣカード相互間で電子通貨の転送を行う場合の動作を説明するフローチャートである。
【図８】ＩＣカード相互間で電子通貨の転送を行う他の動作例を説明するフローである。
【図９】ＩＣカード電話機から電子通貨を銀行ホストに転送する動作を説明するフローチャートである。
【図１０】銀行の口座からの引き落としの例を説明する図である。
【図１１】ＩＣカードを各種の情報管理媒体として使用する例を説明する図である。
【符号の説明】
１  銀行営業店システム
２  流通システム
３  エンドユーザシステム
４  自動販売機システム
５  銀行計算機センタ
６  電子通貨発行組織
７  公衆通信網
１０  ＩＣカード
１１  外付けＩＣカードリーダ／ライタ
１２  窓口端末
１３  内部通信回線
１４  現金自動預入支払機
１５  電子金庫
１６  電子通貨トランザクション制御端末
１７  リレーコンピュータ
２１  電子通貨用ＰＯＳ端末
２２  ＰＯＳ端末
２３  ストアコントローラー
２４  センタ装置
２５  情報制御システム
２６  ワークステーション
３１  電子財布
３２  パソコン
３３  ＰＣカード型カードリーダ／ライタ
４１  内蔵型ＩＣカードリーダ／ライタ
４２  自動販売機
５１  勘定系システムホスト
５２  外接系システム
５３  外接系制御端末
３４０  本体部
３４１  送受話器
３４２
３４３  ＩＣカード挿入口
３４５  テンキー
３４６  電話用機能キー
３４７  ファンクションキー
３４８  コントロールキー
３４９  モデムユニット
３４Ａ  スイッチャー
３４Ｂ  モデム制御用マイクロプロセッサ
３４Ｃ  会話用ユニット
３４Ｄ  電子通貨制御用マイクロプロセッサ
３４Ｅ  特定用途ＩＣ
【図１】
0003589765.tif 000002
【図２】
0003589765.tif 000003
【図３】
0003589765.tif 000004
【図４】
0003589765.tif 000005
【図５】
0003589765.tif 000006
【図６】
0003589765.tif 000007
【図７】
0003589765.tif 000008
【図８】
0003589765.tif 000009
【図９】
0003589765.tif 000010
【図１０】
0003589765.tif 000011
【図１１】
0003589765.tif 000012